【事件の表示】
　平成　６年特許願第３１４７７６号「マルチモード無線電話」拒絶査定不服審判事件〔平成　７年１１月１０日出願公開、特開平　７−２９８３３９〕について、次のとおり審決する。
【結　論】
　本件審判の請求は、成り立たない。
【理　由】
第１．手続の経緯
　本願は、平成６年１２月１９日（パリ条約による優先権主張１９９３年１２月２２日、英国）の出願であって、平成１６年１月３０日付けの拒絶理由の通知に対して、その指定された期間内の同年８月３日付けで意見書及び補正書が提出されたが、平成１７年１２月１４日付けで拒絶査定がなされたところ、これに対して、平成１８年３月２０日に拒絶査定に対する審判請求がなされるとともに、同年４月１９日に手続補正書が提出されたものである。
　
第２．平成１８年４月１９日付けの手続補正について、
　
［補正却下の決定の結論］平成１８年４月１９日付けの手続補正（以下、「本件補正」という。）を却下する。
　
［理由］
（１）補正後の本願発明
　本件補正により、特許請求の範囲の請求項１は、
「【請求項１】少なくとも１つのネットワーク制御センタ（５０５）と通信を行う複数のベースステーション（１１０）を有する第１の無線電話システム（１００）と、少なくとも１つの移動交換センタ（１３８）と通信を行う複数のベースステーションを有する第２の異なる無線電話システムと、を備える相互リンクされた無線電話システム（１００；１１０、１３６、１３８）において、該システムは、
　上記第１の無線電話システムのネットワーク制御センタと上記第２の異なる無線電話システムの移動交換センタの間で、上記システム間の自動的な切り換えを容易にする制御信号を送信する手段（５３０）と、
　上記移動交換センタ若しくは上記ネットワーク制御センタに配置される、ユーザ情報信号を監視する手段と、
　上記移動交換センタ若しくは上記ネットワーク制御センタに配置され、上記第１の無線電話システム若しくは上記第２の異なる無線電話システムのうちの一方が選択を要求することを示す上記監視されたユーザ情報信号に基づいて、選択を要求している上記第１の無線電話システム若しくは上記第２の異なる無線電話システムのうちの上記一方に進行中の通話を切り換えるよう上記第２の異なる無線電話システムの上記移動交換センタ若しくは上記第１の無線電話システムの上記ネットワーク制御センタのうちのもう一方に対して命令することにより、上記第１の無線電話システム若しくは上記第２の異なる無線電話システムのうちの上記一方にユーザを自動的に割り当て及び再割り当てする選択手段と、を備えることを特徴とするシステム。」
と補正された。（なお、「複数のベースステーション（１３０）」は「複数のベースステーション（１１０）」の、「上記第１の無線電話システムの移動交換センタと上記第２の異なる無線電話システムのネットワーク制御センタの間で、」は「上記第１の無線電話システムのネットワーク制御センタと上記第２の異なる無線電話システムの移動交換センタの間で、」の誤記であるとそれぞれ認められるので上記のように認定した。）
　
　本件補正は、請求項１に記載した発明の構成要件である「制御信号」について、「システム間の自動的な切り換えを容易にする」との限定、および、「ユーザ情報信号を監視する手段」について、「移動交換センタ若しくは上記ネットワーク制御センタに配置される」との限定を付加するものであって、特許法第１７条の２第４項の特許請求の範囲の減縮を目的とするものに該当する。
　
　そこで、本件補正後の前記請求項１に係る発明（以下、「本願補正発明」という。）が特許出願の際独立して特許を受けることができるものであるか（特許法第１７条の２第５項において準用する同法第１２６条第５項の規定に適合するか）について以下に検討する。
　
（２）刊行物の記載
　
　刊行物１記載発明 
　
　原査定の拒絶の理由に引用された国際公開第９３／１６５４９号パンフレット（１９９３年８月１９日出願公開。以下、「刊行物１」という。）には、図面とともに、以下の事項が記載されている。　
　
　「CALL ROUTING METHOD FOR A RADIOTELEPHONE IN MULTIPLE RADIOTELEPHONE SYSTEMS」（第１頁第６行乃至第７行）
　（訳）多重無線電話システムにおける無線電話の呼の経路決定
　
　「A cordless telephone system typically includes a portable cordless handset and a cordless base station connected to a telephone company phone system (TELCO) by telephone landlines. The cordless base station has an assigned landline telephone number that allows the user to place and receive calls using the cordless portable handset within a limited range of the cordless base station, such as in a home. However, due to their limited range, the cordless portable handset provides the user with relatively local radiotelephone communication. 
　Radiotelephone communication outside the range of the cordless telephone system may also be provided to the user via a cellular telephone system. A cellular telephone system typically includes cellular subscriber units (mobile or portable) and cellular base stations connected to the TELCO via one or more cellular switching networks.」（第１頁第２０行乃至第３４行）
　（訳）コードレス電話システムには、通常、携帯用のコードレス・ハンドセットと、電話地上回線により電話会社の電話システム（ＴＥＬＣＯ）に接続されるコードレス基地局とが含まれる。コードレス基地局には地上回線電話番号が割り当てられており、これによって使用者は、家庭内などのコードレス基地局の限られた範囲内でコードレス携帯ハンドセットを用いて、呼を発信および受信することができる。しかし、範囲が限られているために、コードレス携帯ハンドセットは、使用者に対して相対的に局所的な無線電話通信を提供する。
　コードレス電話システムの範囲外の無線電話通信も、セルラ電話システムを介して使用者に提供される。セルラ電話システムは、通常は、セルラ加入者ユニット（可動または携帯用）と、１つ以上のセルラ交換ネットワークを介してＴＥＬＣＯに接続されたセルラ基地局とを含む。
　
　「A  portable cellular cordless (PCC) radiotelephone  101  is shown having the ability to communicate with a conventional cellular radiotelephone system  103 , which has a plurality of cellular base stations  105 ,  107  located at geographically separate locations but arranged to provide radiotelephone coverage over a wide geographic area. The cellular base stations are coupled to a control terminal  109  which provides coordination among the plurality of cellular base stations, including handoff of user cellular mobile and portable equipment, and provides call switching and interconnect to the public switched telephone network (identified hereinafter as TELCO)  111 . 」（第６頁第４行乃至第１４行）
　（訳）従来のセルラ無線電話システム１０３と通信する機能をもつ携帯用セルラ・コードレス（ＰＣＣ）無線電話１０１が示され、システム１０３は、地理的には別々の場所にあるが、広い地域上に無線電話の送受信可能範囲（ｃｏｖｅｒａｇｅ）をもつ複数のセルラ基地局１０５，１０７を有する。セルラ基地局は、制御ターミナル１０９に結合され、ターミナル１０９により、使用者のセルラ可動および携帯装置の通話切り替え（ハンドオフ）を含む複数のセルラ基地局の間の調整が行われ、呼の交換と公衆切り替え電話ネットワーク（以下ＴＥＬＣＯと呼ぶ）１１１に対する相互接続を行う。
　
　「The PCC  101  further has the capability to communicate with and place radiotelephone calls via a cordless base station  115 , which provides private telephone line interconnection to the TELCO  111  for the user of the PCC  101 ; As previously noted, the cordless base station  115  and the PCC  101  together provide the limited radio range service conventionally known as cordless telephone service. 」（第６頁第２２行乃至第２７行）
　（訳）ＰＣＣ１０１はさらに、コードレス基地局１１５との通信を行い、コードレス基地局１１５を介して無線電話の呼を発する機能を有する。この基地局１１５は、ＰＣＣ１０１の使用者のためにＴＥＬＣＯ１１１に個人電話回線を相互接続する。前述のように、コードレス基地局１１５とＰＣＣ１０１とは共に、コードレス電話サービスとして従来知られている限られた無線範囲のサービスを行う。
　
　「In  FIG. 7B  the PCC  101  decides at block  723  whether to remain in its call state in the cordless telephone system by returning to block  703  or to change to the cellular telephone system  103  by progressing to block  725 . At block  725 , the PCC  101  operating in a cordless telephone system requests that the cordless base station  115  perform a handoff from the cordless to cellular telephone system  103  by producing a three way call between the PCC  101 , the other party and the user's cellular phone number. 
　In  FIG. 6B  the cordless base unit determines if the request from the PCC  101  to handoff from the cordless to the cellular telephone system  103  at block  623  is received. If the request is received at block  623 , the cordless base unit performs a three way call between the PCC  101  operating in the cellular telephone system  103 , the other party and the landline phone number of the cordless base station  115  at block  625 . 」（第１４頁第３３行乃至第１５頁第１３行）
　（訳）第７Ｂ図では、ＰＣＣ１０１はブロック７２３で、ブロック７０３に戻ってコードレス電話システムの通話状態に留まるか、あるいはブロック７２５に進んでセルラ電話システム１０３に移るかを決定する。ブロック７２５では、コードレス電話システムで動作をしているＰＣＣ１０１により、コードレス基地局１１５が、コードレスからセルラ電話システム１０３への通話切り替えを実行することが要求されるが、これはＰＣＣ１０１と、相手側と、使用者のセルラ電話番号との間の三方向通話を生成することにより実行される。
　第６Ｂ図では、コードレス基地ユニットが、ブロック６２３でコードレスからセルラ電話システム１０３への通話切り替えを行うためのＰＣＣ１０１からのリクエストが受信されたか否かを判定する。ブロック６２３でリクエストが受信されると、コードレス基地ユニットは、ブロック６２５でセルラ電話システム１０３で動作しているＰＣＣ１０１と、相手側と、コードレス基地局１１５の地上回線電話番号との間で三方向通話を実行する。
　
　「In  FIG. 7B  the PCC  101  answers the cellular leg of the three way call at block  727  to open communication between the PCC  101  operating in the cellular telephone system  103  and the other party. Thus, the PCC  101  is now in a cellular phone call at block  701 . In  FIG. 6B  the cordless base station  115  ends the landline leg of the three way call at block  627  to terminate communication between the calling party and the cordless base station  115  and returns to its idle state at block  601 . 
　The decision to change between the cordless and cellular telephone systems at blocks  505 ,  523 ,  705  and  723  may be based on a variety of factors including but not limited to: manually determined user preference, automatic system scanning preference or the radio's received signal quality. The PCC  101  may also scan for a number of cordless base station  115 s , at blocks  509  and  709 , that are known to be acceptable to the PCC  101 . 」（第１５頁第１４行乃至第２８行）
　（訳）第７Ｂ図では、ＰＣＣ１０１は、ブロック７２７で三方向通話のセルラ・レッグを応答して、セルラ電話システム１０３で動作しているＰＣＣ１０１と相手側との間の通信を開く。これにより、ＰＣＣ１０１は、ブロック７０１でセルラ電話通話状態に入る。第６Ｂ図では、コードレス基地局１１５は、ブロック６２７で三方向通話の地上回線レッグを終り、発呼者とコードレス基地局１１５との間の通信を終了して、ブロック６０１のアイドル状態に戻る。
　ブロック５０５，５２３，７０５，７２３で行うコードレス電話システムとセルラ電話システムとの間の変更の決定は、手動で決定された使用者の選択、自動システム走査の選択または無線機の被受信信号の質などを含み、これだけに限定されない種々の要素に基づき行われる。ＰＣＣ１０１もまたブロック５０９，７０９でＰＣＣ１０１に受け入れられることがわかっているいくつかのコードレス基地局１１５を走査する。
　
　これらの記載によれば、刊行物１には、次の発明（以下、「刊行物１記載発明」という。）が記載されているものと認められる。
　
　「ＰＣＣ１０１の使用者のためにＴＥＬＣＯ１１１に個人電話回線を相互接続するコードレス基地局１１５を有し、ＰＣＣ１０１が受け入れられることがわかっているいくつかのコードレス基地局１１５を走査する、コードレス電話システムと、制御ターミナル１０９に結合された、複数のセルラ基地局１０５、１０７を有するセルラ無線電話システム１０３と、制御ターミナル１０９により、使用者のセルラ可動および携帯装置のハンドオフを含む複数のセルラ基地局の間の調整が行われ、呼の交換とＴＥＬＣＯ１１１に対する相互接続を行う、多重無線電話システムにおいて、
　コードレス基地ユニットは、コードレスからセルラ電話システム１０３への通話切り替えを行うためのＰＣＣ１０１からのリクエストが受信されたか否かを判定して、セルラ電話システム１０３で動作しているＰＣＣ１０１と、相手側と、コードレス基地局１１５の地上回線電話番号との間で三方向通話を実行し、
　ＰＣＣ１０１は、三方向通話のセルラ・レッグを応答して、セルラ電話システム１０３で動作しているＰＣＣ１０１と相手側との間の通信を開いてセルラ電話通話状態に入り、
　コードレス基地局１１５は、ブロック６２７で三方向通話の地上回線レッグを終り、発呼者とコードレス基地局１１５との間の通信を終了する多重無線電話システム。」
　
　刊行物２の記載
　特開平３−１５８０２８号公報（平成３年７月８日出願公開。以下、「周知刊行物２」という。）には、地上・衛星相互補完移動通信方式に関して、図面とともに、以下の事項が記載されている。　
　
　「ｂ．通信中のチャネル切替
　衛星系ゾーンに在圏していて、衛星通信系で通話に入った状態でも、移動無線端末機の移動により、前項と同じように地上通信系でも通信可能な場所に移ることが生じるが、その場合も、システム総合の周波数有効利用度を大きくするために、直ちに地上通信側へ切替えるようにする。これを実現するため、この発明では、システムに以下の機能を持たせている。
　すなわち、衛星系ゾーンとオーバーラップ（重複）する各地上系ゾーンの各無線基地局に、衛星通信系で通信中の移動無線端末機の電波の強度を監視する監視受信機を設置し、移動無線制御局１７からの指示により、通信中の移動無線端末機の電波の強度を定期的に測定して、その情報を移動無線制御局１７に送る。それを受けた移動無線制御局１７では、一定値以上の電波の強度となった無線基地局１５があれば、移動無線端末機がその無線基地局１５の所属する地上系ゾーンに入ったと判断して、通信中の衛星系チャネルに切替信号と切替える先の地上系チャネル情報を送出して、“通信中のチャネル切替”を行う。」（第５頁右上欄第１７行乃至左下欄第１８行）
　
　刊行物３の記載
　国際公開第９２／２２１５６号パンフレット（１９９２年１２月１０日出願公開。以下、「周知刊行物３」という。）には、図面とともに、以下の事項が記載されている。　
　
　「If handoff occurs while a call on the telephone network  103  is in progress, the old base station  104  or the new base station  104  will direct the telephone network  103  to reroute the call to use the new base station  104 , by a message to a rerouting processor  113 . The rerouting processor  113  could be a cluster controller  114  for directly controlling a set of base stations  104 , a private exchange telephone system  115  such as a PBX, Centrex, or key-type system (or the cluster controller  114  and the private exchange telephone system  115  operating in conjunction), a local switch, a local switching processor, or the control station  112 . 」（第７頁第１９行乃至第３０行）
　（訳）もし上記電話網１０３上に１つの呼が継続進行中であるときに手渡しが生じたならば、古い基地局１０４又は新しい基地局１０４は上記電話網１０３に対して、再ルーチングプロセッサ１１３へのメツセージによって、当該呼を上記新しい基地局１０４を使用するように再ルート割り当てを指示するであろう。上記再ルーチングプロセッサ１１３は、１組の基地局１０４を直接的に制御するためのクラスタコントローラ１１４、例えば、ＰＢＸ、セントレックス、又はキータイプシステム（もしくは、クラスタコントローラ１１４と、それに結合して動作するプライベート交換電話システム１１５）などのプライベート交換電話システム１１５、もしくは、ローカル交換機（ローカルスイッチ）、ローカル交換プロセッサ、又は制御局１１２などであることが可能である。
　
　「User stations  102  may also be coupled to the telephone network  103  by an independent access path  117 , such as by cellular wireless telephone communication using a cellular base station  118 . In a preferred embodiment, user stations  102  may have multiple communication channels (e.g., multiple codes, frequencies, or timeslots), and thus be capable of coupling to a plurality of different base stations  104 . An augmented base station  119  may additionally perform the function of the cellular base station  118  in a cellular wireless telephone network, so that a user station  102  which can make an independent access path to the augmented base station  119  may have direct access to the telephone network  103  like a cellular telephone. 」（第８頁第３４行乃至第９頁第１０行）
　（訳）複数のユーザ局１０２はまた、例えばセルラー基地局１１８を用いるセルラー無線電話通信による場合のように、独立したアクセスパス１１７によって電話網１０３に接続されてもよい。好ましい実施例においては、ユーザ局１０２は、（例えば複数のコード、複数の周波数、又は複数のタイムスロットなどの）複数の通信チャンネルを有してもよく、これによって複数の異なる基地局１０４への接続を可能にする。増設された基地局１１９はさらに、増設された基地局１１９への独立したアクセスパスを形成することができるユーザ局１０２が、セルラー電話のような電話網１０３への直接的なアクセスを有することができるように、セルラー無線電話網におけるセルラー基地局１１８の機能を実行するようにしてもよい。
　
　「A plurality of cluster controllers  114  and private exchange telephone systems  115  may be coupled to the enhanced-services processor  120 . A plurality of enhanced-services processors  120  may also be coupled to one or more local switches  121  for coupling to the telephone network  103 . Moreover, control stations  112  or augmented base stations  119  may be coupled to local switches  121 , enhanced-services processors  120 , cluster controllers  114  or base stations  104 . The cluster controllers  114  may be coupled to each other for direct routing of calls outside the telephone network  103 , e.g. by means of known routing methods. The cluster controllers  114  may also be coupled to the private exchange telephone system  115 , which may perform routing among them. 」（第１０頁第１行乃至第１４行）
　（訳）複数のクラスタコントローラ１１４と複数のプライベート交換電話システム１１５は改善されたサービスプロセッサ１２０に接続されてもよい。複数の改善されたサービスプロセッサ１２０はまた、上記電話網１０３に接続するために１つ又はそれ以上のローカル交換機（ローカルスイッチ）１２１に接続されてもよい。さらに、複数の制御局１１２又は増設された複数の基地局１１９は、複数のローカル交換機１２１と、改善された複数のサービスプロセッサ１２０と、複数のクラスタコントローラ１１４と、もしくは複数の基地局１０４とに接続されてもよい。上記複数のクラスタコントローラ１１４は、例えば公知のルート割り当て（ルーチング）方法の手段によって、上記電話網１０３の外側の複数の呼についての直接的なルート割り当てのために、互いに接続されてもよい。クラスタコントローラ１１４はまた、これらの中でルート割り当てを実行してもよいプライベート交換電話システム１１５に接続されてもよい。
　
（３）．対比
　
　本願補正発明と刊行物１記載発明とを対比すると、刊行物１記載発明の「ＴＥＬＣＯ１１１」、「コードレス電話システム」、「制御ターミナル１０９」、「制御ターミナル１０９に結合された、複数のセルラ基地局１０５、１０７」、「セルラ無線電話システム１０３」、「多重無線電話システム」のそれぞれは、本願補正発明の「ネットワーク制御センタ（５０５）」、「第１の無線電話システム（１００）」、「移動交換センタ（１３８）」「移動交換センタ（１３８）と通信を行う複数のベースステーション」、「第２の異なる無線電話システム」、「無線電話システム」のそれぞれに相当する。
　
　また、刊行物１記載発明の「ＴＥＬＣＯ１１１に個人電話回線を相互接続するコードレス基地局１１５」は、ＰＣＣ１０１によって、いくつかのコードレス基地局１１５が走査されるから、コードレス基地局１１５は複数設けられており、したがって、本願補正発明の「ネットワーク制御センタ（５０５）と通信を行う複数のベースステーション」に相当する。
　
　また、刊行物１記載発明は、制御ターミナル１０９により、使用者のセルラ可動および携帯装置のハンドオフを含む複数のセルラ基地局の間の調整が行われ、呼の交換とＴＥＬＣＯ１１１に対する相互接続を行うから、刊行物１記載発明は、本願補正発明の「第１の無線電話システムのネットワーク制御センタと第２の異なる無線電話システムの移動交換センタの間で、制御信号を送信する手段（５３０）」を備えている。
　
　また、刊行物１記載発明の「コードレス基地ユニット」は、コードレスからセルラ電話システム１０３への通話切り替えを行うためのＰＣＣ１０１からのリクエストが受信されたか否かを判定するから、本願補正発明の「ネットワーク制御センタに配置される、ユーザ情報信号を監視する手段」を備えている。
　
　また、刊行物１記載発明の「コードレス基地ユニット」は、コードレスからセルラ電話システム１０３への通話切り替えを行うためのＰＣＣ１０１からのリクエストが受信されたか否かを判定して、セルラ電話システム１０３で動作しているＰＣＣ１０１と、相手側と、コードレス基地局１１５の地上回線電話番号との間で三方向通話を実行し、ＰＣＣ１０１は、三方向通話のセルラ・レッグを応答して、セルラ電話システム１０３で動作しているＰＣＣ１０１と相手側との間の通信を開いてセルラ電話通話状態に入り、コードレス基地局１１５は、ブロック６２７で三方向通話の地上回線レッグを終り、発呼者とコードレス基地局１１５との間の通信を終了するから、刊行物１記載発明と、本願補正発明の「移動交換センタ若しくはネットワーク制御センタに配置され、第１の無線電話システム若しくは第２の異なる無線電話システムのうちの一方が選択を要求することを示す監視されたユーザ情報信号に基づいて、選択を要求している上記第１の無線電話システム若しくは上記第２の異なる無線電話システムのうちの上記一方に進行中の通話を切り換えるよう上記第２の異なる無線電話システムの上記移動交換センタ若しくは上記第１の無線電話システムの上記ネットワーク制御センタのうちのもう一方に対して命令することにより、上記第１の無線電話システム若しくは上記第２の異なる無線電話システムのうちの上記一方にユーザを自動的に割り当て及び再割り当てする選択手段」とは、「ネットワーク制御センタに配置され、第２の異なる無線電話システムの選択を要求することを示す監視されたユーザ情報信号に基づいて、選択を要求している第１の無線電話システムに進行中の通話を切り換えるよう、第２の異なる無線電話システムにユーザを自動的に再割り当てする選択手段」を備えている点で一致する。
　
　したがって、両者の発明の一致点、相違点は以下のとおりである。
　
［一致点］
　
「少なくとも１つのネットワーク制御センタ（５０５）と通信を行う複数のベースステーション（１１０）を有する第１の無線電話システム（１００）と、少なくとも１つの移動交換センタ（１３８）と通信を行う複数のベースステーションを有する第２の異なる無線電話システムと、を備える相互リンクされた無線電話システム（１００；１１０、１３６、１３８）において、該システムは、
　上記第１の無線電話システムのネットワーク制御センタと上記第２の異なる無線電話システムの移動交換センタの間で、制御信号を送信する手段（５３０）と、
　上記移動交換センタ若しくは上記ネットワーク制御センタに配置される、ユーザ情報信号を監視する手段と、
　上記移動交換センタ若しくは上記ネットワーク制御センタに配置され、上記第１の無線電話システム若しくは上記第２の異なる無線電話システムのうちの一方が選択を要求することを示す上記監視されたユーザ情報信号に基づいて、選択を要求している上記第１の無線電話システム若しくは上記第２の異なる無線電話システムのうちの上記一方に進行中の通話を切り換えるよう、上記第１の無線電話システム若しくは上記第２の異なる無線電話システムのうちの上記一方にユーザを自動的に割り当て及び再割り当てする選択手段と、を備えるシステム。」
　
［相違点］
　本願補正発明では制御信号がシステム間の自動的な切り換えを容易にする制御信号であり、また、一方に進行中の通話を切り換えるように、第２の異なる無線電話システムの移動交換センタ若しくは第１の無線電話システムのネットワーク制御センタのうちのもう一方に対して命令するのに対し、刊行物１記載発明においては、これらの点が明らかではない点。
　
（４）．判断
　
　進行中の通話を異なる無線電話システム間で切り換えるように、無線電話システムの移動交換センタ、ネットワーク制御センタ等の制御局へ命令して再割り当てすることは周知刊行物２、３に記載されているように周知である。そして、当該命令は、無線電話システム間の自動的な切り換えを行う命令であるから、上記命令をシステム間の自動的な切り換えを容易にする制御信号とすることは設計事項に過ぎない。
　
　そうすると、刊行物１記載発明において、第１の無線電話システムのネットワーク制御センタと上記第２の異なる無線電話システムの移動交換センタの間で送信する制御信号を、システム間の自動的な切り換えを容易にする制御信号とし、選択を要求している第１の無線電話システムに進行中の通話を切り換えるよう、第２の異なる無線電話システムにユーザを自動的に再割り当てする際に、第２の異なる無線電話システムの上記移動交換センタに対して命令することは、当業者が容易になし得ることである。
　
　そして、本願補正発明のように構成したことによる効果も、刊行物１記載発明及び周知技術から当業者が予測できる範囲のものである。　
　
　したがって、本願補正発明は、刊行物１記載発明及び周知技術に基づいて、当業者が容易に発明をすることができたものであるから、特許法第２９条第２項の規定により特許出願の際独立してして特許を受けることができないものである。
　
（５）むすび 
 　以上のとおり、本件補正は、特許法第１７条の２第５項において準用する同法第１２６条第５項の規定に違反するので、特許法第１５９条第１項の規定において読み替えて準用する同法第５３条第１項の規定により却下すべきものである。
　
第３．本願発明について 
　
１．本願発明
　平成１８年４月１９日付けの手続補正は上記のとおり却下されたので、本願の請求項１に係る発明（以下、「本願発明」という。）は、平成１６年８月３日付けの手続補正書の請求項１に記載された事項により特定される、以下のとおりのものである。 
　
「【請求項１】　少なくとも１つのネットワーク制御センタ（５０５）と通信を行う複数のベースステーション（１１０）を有する第１の無線電話システム（１００）と、少なくとも１つの移動交換センタ（１３８）と通信を行う複数のベースステーションを有する第２の異なる無線電話システムと、を備える相互リンクされた無線電話システム（１００；１１０、１３６、１３８）において、該システムは、
　上記第１の無線電話システムのネットワーク制御センタと上記第２の異なる無線電話システムの移動交換センタの間で制御信号を送信する手段（５３０）と、
　ユーザ情報信号を監視する手段と、
　上記移動交換センタ若しくは上記ネットワーク制御センタに配置され、上記第１の無線電話システム若しくは上記第２の異なる無線電話システムのうちの一方が選択を要求することを示す上記監視されたユーザ情報信号に基づいて、選択を要求している上記第１の無線電話システム若しくは上記第２の異なる無線電話システムのうちの上記一方に進行中の通話を切り換えるよう上記第２の異なる無線電話システムの上記移動交換センタ若しくは上記第１の無線電話システムの上記ネットワーク制御センタのうちのもう一方に対して命令することにより、上記第１の無線電話システム若しくは上記第２の異なる無線電話システムのうちの上記一方にユーザを自動的に割り当て及び再割り当てする選択手段と、を備えることを特徴とするシステム。」（なお、「複数のベースステーション（１３０）」は「複数のベースステーション（１１０）」の、「上記第１の無線電話システムの移動交換センタと上記第２の異なる無線電話システムのネットワーク制御センタの間で、」は「上記第１の無線電話システムのネットワーク制御センタと上記第２の異なる無線電話システムの移動交換センタの間で、」の誤記であるとそれぞれ認められるので上記のように認定した。）
　
２．刊行物の記載
　
　刊行物１記載発明及び周知技術は、前記「第２．（２）」で述べたとおりである。
　
３．対比・検討
　
　本願発明は、前記「第２．（１）」で検討した本願補正発明から、「制御信号」について、限定事項である「システム間の自動的な切り換えを容易にする」との構成、および、「ユーザ情報信号を監視する手段」について、限定事項である「移動交換センタ若しくは上記ネットワーク制御センタに配置される」との構成を省いたものである。
　
　そうすると、本願発明の構成要件を全て含み、さらに他の構成要件を付加したものに相当する本願補正発明が、前記「第２．（４）」に記載したとおり、刊行物１記載発明及び周知技術に基づいて、当業者が容易に発明をすることができたものであるから、本願発明も、同様の理由により、刊行物１記載発明及び周知技術に基づいて、当業者が容易に発明をすることができたものである。 
　
第４．むすび
　以上のとおり、本願発明は、刊行物１記載発明及び周知技術に基づいて、当業者が容易に発明をすることができたものであるから、特許法第２９条第２項の規定により特許を受けることができない。
　
　よって、結論のとおり審決する。